(57)【要約】  光学ビュー・ファインダを覗いているユーザが操作している操作部材が何か分るようにする。  光学ビュー・ファインダに光学的な被写体像85が表示される。カメラの操作部材にはシャッタ・スピード・ダイアル，露出ダイアル，コマンド・レバーなどがあり，これらの操作部材にはタッチしたことを検出するタッチ・センサが設けられている。ユーザがシャッタ・スピード・ダイアルをタッチすると，光学的な被写体像85上に，ユーザがタッチしたシャッタ・スピード・ダイアルを表わす画像91が現れる。画像91を見ることより，ユーザが操作しているダイアルが分る。
2014002659.tif 000002
【特許請求の範囲】
【請求項１】
カメラの前面に形成され，被写体に向く対物窓および上記対物窓を通して見える被写体を覗く接眼窓を備えた光学ビュー・ファインダ，
上記カメラの外部に設けられた操作部材，
上記操作部材がタッチされたことを検出するタッチ・センサ，
上記タッチ・センサにより上記操作部材へのタッチが検出されたことに応じて，タッチされた上記操作部材を表わす操作部材画像を表示画面に表示する表示装置，ならびに
上記表示装置の上記表示画面に表示された操作部材画像を上記接眼窓の撮影範囲内の位置に導く偏向装置，
を備えたカメラ。
【請求項２】
上記表示装置は，
上記タッチ・センサにより，上記操作部材へのタッチが検出されたことに応じて，タッチされた上記操作部材を表わす操作部材画像およびタッチされた上記操作部材の操作方向を示す画像を上記表示画面に表示するものであり，
上記偏向装置は，
上記表示装置の上記表示画面に表示された操作部材画像および上記操作方向を示す画像を上記接眼窓の撮影範囲内の位置に導くものである，
請求項１に記載のカメラ。
【請求項３】
上記表示装置は，
上記タッチ・センサにより上記操作部材へのタッチが検出されたことに応じて，タッチされた上記操作部材の外観と同じ外観を表わす操作部材画像を表示画面に表示するものである，
請求項１または２に記載のカメラ。
【請求項４】
上記表示装置は，
上記タッチ・センサにより上記操作部材へのタッチが検出されたことに応じて，タッチされた上記操作部材の名称または機能を示す名称を表示するものであり，
上記偏向装置は，
上記表示装置の上記表示画面に表示された名称を，上記接眼窓の撮影範囲内の位置に導くものである，
請求項１から３のうち，いずれか一項に記載のカメラ。
【請求項５】
上記表示装置は，
上記タッチ・センサにより上記操作部材へのタッチが検出されたことに応じて，タッチされた上記操作部材を表わす操作部材画像およびタッチされた上記操作部材の操作後のディジタル・カメラの状態を示す画像を上記表示画面に表示するものであり，
上記偏向装置は，
上記表示装置の上記表示画面に表示された操作部材画像および上記操作後のディジタル・カメラの状態を示す画像を上記接眼窓の撮影範囲内の位置に導くものである，
請求項１から４のうち，いずれか一項に記載のカメラ。
【請求項６】
上記表示装置は，
上記操作部材画像が上記偏向装置において上記接眼窓の撮影範囲内の位置に導かれたときに，上記操作部材画像が表わす操作部材が設けられている位置に対応する位置となるように上記表示画面に表示するものである，
請求項１から５のうち，いずれか一項に記載のカメラ。
【請求項７】
上記表示装置は，
上記操作部材がタッチされたことに応じて，タッチされた上記操作部材を表わす操作部材画像が横方向から現れるように，上記表示画面に表示するものである，
請求項１から６のうち，いずれか一項に記載のカメラ。
【請求項８】
上記表示装置は，
上記操作部材が背面から見て右側にある場合には，上記操作部材がタッチされたことに応じて，タッチされた上記操作部材を表わす操作部材画像が右側から現れるように，上記表示画面に表示し，上記操作部材が背面から見て左側にある場合には，上記操作部材がタッチされたことに応じて，タッチされた上記操作部材を表わす操作部材画像が左側から現れるように，上記表示画面に表示するものである，
請求項７に記載のカメラ。
【請求項９】
カメラの前面に形成され，被写体に向く対物窓および上記対物窓を通して見える被写体を覗く接眼窓を備えた光学ビュー・ファインダを備えたカメラの動作制御方法において，
操作部材が，上記カメラの外部に設けられており，
タッチ・センサが，上記操作部材がタッチされたことを検出し，
表示装置が，上記タッチ・センサにより上記操作部材へのタッチが検出されたことに応じて，タッチされた上記操作部材を表わす操作部材画像を表示画面に表示し，
偏向装置が，上記表示装置の上記表示画面に表示された操作部材画像を上記接眼窓の撮影範囲内の位置に導く，
カメラの動作制御方法。
【発明の詳細な説明】
【技術分野】
【０００１】
この発明は，カメラおよびその動作制御方法に関する。
【背景技術】
【０００２】
カメラのユーザは，画角を決定する場合には，カメラの光学ビュー・ファインダを覗くことがある。光学ビュー・ファインダにユーザの目を近づけ，光学ビュー・ファインダ越しに被写体を観察し，所望の画角で撮影される。【０００３】
また，電子ビュー・ファインダに，リングの画像を表示し，レンズ鏡筒の外周に回動可能に配置されたリング操作部の使用感覚と一致させるもの（特許文献１），電子ビュー・ファインダに，ＬＣＤのタッチに応じてモードのメニューバーを表示させるもの（特許文献２），液晶モニタにモードダイヤルイメージを表示するもの（特許文献３）などもある
【先行技術文献】
【特許文献】
【０００４】
【特許文献１】特開2001-160275号公報
【特許文献２】特開2010-263425号公報
【特許文献３】特開2006-33370号公報
【発明の概要】
【発明が解決しようとする課題】
【０００５】
画角を決定するために，光学ビュー・ファインダにユーザの目を近づけると，カメラの筺体に設けられている操作部材はユーザの視界に入らない。このために，操作している操作部材が何なのか，その操作部材を操作するとどのような動作となるのかが，実際に操作部材を操作しなければ分らない。たとえば，モード・ダイアルとアップ・ダウン操作ダイアルなど，複数のダイアル操作部材を有するカメラでは，手探りでダイアルを探して回してみると，光学ビュー・ファインダ内のモード表示が切り替わったり，対応する絞りやシャッタ速度などの数値が増減したりして，初めて何を操作したのかが分ることがある。このようなカメラでは，光学ビュー・ファインダを覗いたまま操作すると,操作が煩雑で間違いやすく，光学ビュー・ファインダから目を離して操作しているダイアルを確認することとなり，シャッタ・チャンスを逃すことがある。【０００６】
また，引用文献１から３においては，電子ビュー・ファインダにリング等を表示するものであり，光学ビュー・ファインダの特徴である，被写体のきれいな光学像を観察しながら画角を決定するというカメラにおいて，ユーザがどのような操作ダイアル等を操作しているのか分るようにすることは考えられていない。【０００７】
この発明は，光学ビュー・ファインダを覗いているユーザが操作している操作部材が何かわかるようにすることを目的とする。
【課題を解決するための手段】
【０００８】
この発明によるカメラは，カメラの前面に形成され，被写体に向く対物窓および対物窓を通して見える被写体を覗く接眼窓を備えた光学ビュー・ファインダ，カメラの外部に設けられた操作部材，操作部材がタッチされたことを検出するタッチ・センサ，タッチ・センサにより操作部材へのタッチが検出されたことに応じて，タッチされた操作部材を表わす操作部材画像を表示画面に表示する表示装置，ならびに表示装置の表示画面に表示された操作部材画像を接眼窓の撮影範囲内の位置に導く偏向装置を備えていることを特徴とする。【０００９】
この発明は，カメラに適した動作制御方法も提供している。すなわち，カメラの前面に形成され，被写体に向く対物窓および対物窓を通して見える被写体を覗く接眼窓を備えた光学ビュー・ファインダを備えたカメラの動作制御方法において，操作部材が，カメラの外部に設けられており，タッチ・センサが，操作部材がタッチされたことを検出し，表示装置が，タッチ・センサにより操作部材へのタッチが検出されたことに応じて，タッチされた操作部材を表わす操作部材画像を表示画面に表示し，偏向装置が，表示装置の表示画面に表示された操作部材画像を接眼窓の撮影範囲内の位置に導くものである。【００１０】
この発明によると，カメラの外部には操作部材が設けられている。操作部材がタッチされると，タッチされた操作部材を表わす操作部材画像が表示装置の表示画面に表示される。操作部材画像は，光学ビュー・ファインダの接眼窓の撮影範囲内の位置に導かれるので，ユーザは接眼窓を覗いている状態でタッチしている操作部材が何か分る。とくに，光学ビュー・ファインダにも関わらず，タッチしている操作部材を表わす操作部材画像が接眼窓から見えることとなるので，光学ビュー・ファインダの特徴であるきれいな被写体像を見ながら画角を決定しつつ，タッチしている操作部材が分るようになる。【００１１】
表示装置は，たとえば，タッチ・センサにより，操作部材へのタッチが検出されたことに応じて，タッチされた操作部材を表わす操作部材画像およびタッチされた操作部材の操作方向を示す画像を表示画面に表示するものであり，偏向装置は，たとえば，表示装置の表示画面に表示された操作部材画像および操作方向を示す画像を接眼窓の撮影範囲内の位置に導くものである。【００１２】
表示装置は，タッチ・センサにより操作部材へのタッチが検出されたことに応じて，タッチされた操作部材の外観と同じ外観を表わす操作部材画像を表示画面に表示するものでもよい。【００１３】
表示装置は，たとえば，タッチ・センサにより操作部材へのタッチが検出されたことに応じて，タッチされた操作部材の名称または機能を示す名称を表示するものであり，偏向装置は，たとえば，表示装置の表示画面に表示された名称を，接眼窓の撮影範囲内の位置に導くものである。【００１４】
表示装置は，たとえば，タッチ・センサにより操作部材へのタッチが検出されたことに応じて，タッチされた操作部材を表わす操作部材画像およびタッチされた操作部材の操作後のディジタル・カメラの状態を示す画像を表示画面に表示するものであり，偏向装置は，たとえば，表示装置の表示画面に表示された操作部材画像および操作後のディジタル・カメラの状態を示す画像を接眼窓の撮影範囲内の位置に導くものである。【００１５】
表示装置は，操作部材画像が偏向装置において接眼窓の撮影範囲内の位置に導かれたときに，操作部材画像が表わす操作部材が設けられている位置に対応する位置となるように表示画面に表示するものでもよい。【００１６】
表示装置は，操作部材がタッチされたことに応じて，タッチされた操作部材を表わす操作部材画像が横方向から現れるように，表示画面に表示するものでもよい。【００１７】
表示装置は，操作部材が背面から見て右側にある場合には，操作部材がタッチされたことに応じて，タッチされた操作部材を表わす操作部材画像が右側から現れるように，表示画面に表示し，操作部材が背面から見て左側にある場合には，操作部材がタッチされたことに応じて，タッチされた操作部材を表わす操作部材画像が左側から現れるように，表示画面に表示するものでもよい。
【図面の簡単な説明】
【００１８】
【図１】ディジタル・カメラの正面図である。
【図２】ディジタル・カメラの背面図である。
【図３】ディジタル・カメラの斜視図である。
【図４】ディジタル・カメラの電気的構成を示すブロック図である。
【図５】ディジタル・カメラの処理手順を示すフローチャートである。
【図６】光学的な被写体像の一例および電子ビュー・ファインダに表示される画像の一例である。
【図７】ユーザが見る光学ファインダの画像である。
【図８】電子ビュー・ファインダに表示される画像の一例である。
【図９】ユーザが見る光学ファインダの画像である。
【図１０】ユーザが見る光学ファインダの画像である。
【図１１】ユーザが見る光学ファインダの画像である。
【図１２】ユーザが見る光学ファインダの画像である。
【図１３】ユーザが見る光学ファインダの画像である。
【図１４】ユーザが見る光学ファインダの画像である。
【図１５】ユーザが見る光学ファインダの画像である。
【図１６】ユーザが見る光学ファインダの画像である。
【図１７】ユーザが見る光学ファインダの画像である。
【図１８】ユーザが見る光学ファインダの画像である。
【図１９】ユーザが見る光学ファインダの画像である。
【図２０】ユーザが見る光学ファインダの画像である。
【発明を実施するための形態】
【００１９】
図１から図３は，この発明の実施例を示すもので，ディジタル・カメラ１の外観を示している。図１は正面図，図２は背面図，図３は背面から見た斜視図である。
【００２０】
図１を参照して，ディジタル・カメラ１の正面のほぼ中心に前方に突出したレンズ鏡筒２が設けられている。ディジタル・カメラ１の右上には，光学ビュー・ファインダを構成し，被写体に向く対物窓３が形成されている。この対物窓３の左側にはストロボ発光装置４が設けられている。
【００２１】
ディジタル・カメラ１の上面において正面から見て左側には，シャッタ・スピード・ダイアル６，電源レバー７，シャッタ・レリーズ・ボタン８および露出ダイアル９が設けられている。シャッタ・スピード・ダイアル６は，回転自在な円形つまみである。ユーザは，シャッタ・スピード・ダイアル６を回転させることにより，所望のシャッタ・スピードを設定できる。電源レバー７は，正面から見て右および左に所定角度動かすことができる。ユーザは，電源レバー７を所定角度動かすことにより，ディジタル・カメラ１の電源をオン，オフできる。電源レバー７は上面から見て（図３参照），内部が空間の円環上のものであり，その空間にシャッタ・レリーズ・ボタン８が設けられている。露出ダイアル９も，回転自在な円形つまみである。ユーザは，露出ダイアル９を回転させることにより，露出を補正できる。
【００２２】
図２および図３を参照して，ディジタル・カメラ１の背面のほぼ全体に渡って液晶表示装置12が設けられている。ディジタル・カメラ１の背面の左上には光学ビュー・ファインダを構成する接眼窓11が形成されている。ディジタル・カメラ１の背面の右上には，左右に動かすことができるコマンド・レバー10が設けられている。ユーザは，コマンド・レバーを操作することにより，マニアル露出時の１／３ＥＶステップでの絞り調整などの指令をディジタル・カメラ１に与えることができる。
【００２３】
コマンド・レバー10の下には，ＡＦ（自動焦点調節）／ＡＥ（自動露出）ロック・ボタン13，コマンド・ダイアル14，メニュー／ＯＫボタン15，バック・ボタン16，RAWボタン17などが設けられている。
【００２４】
主として図３を参照して，上述したように，ディジタル・カメラ１の上面の右側（背面から見て右側）には，シャッタ・スピード・ダイアル６，電源レバー７，シャッタ・レリーズ・ボタン８および露出ダイアル９が設けられている。上述したように，電源レバー７は，正面方向に突出した突起７Ａが形成されている。突起７Ａがつままれて左右に動かされることによりディジタル・カメラ１の電源のオン，オフができる。
【００２５】
光学ビュー・ファインダの接眼窓11に目を近づけて接眼窓11から覗くことにより，対物窓３および接眼窓11を介して被写体を見ることができ，カメラ・アングルを決定できる。接眼窓11から覗きながら，カメラ・アングルを決定する場合，ユーザは，ディジタル・カメラ１の筺体に設けられているシャッタ・スピード・ダイアル６，電源レバー７，シャッタ・レリーズ・ボタン８，露出ダイアル９などを直接見ることができず，それらの位置が分からない。このために，これらのダイアル６などを操作する場合には，存在する位置を勘に頼ることとなる。ユーザは，どのダイアル等を操作しているのか分りにくいことがある。この実施例では，ユーザがどのダイアル等を操作しているのかが分るようにするものである。
【００２６】
図４は，ディジタル・カメラ１の電気的構成を示すブロック図である。
【００２７】
ディジタル・カメラ１の全体の動作は，ＣＰＵ20によって統括される。
【００２８】
上述したように，ディジタル・カメラ１には，シャッタ・スピード・ダイアル６，電源レバー７，露出ダイアル９などの操作スイッチ類（操作部材）23が設けられている。これらの操作スイッチ類23のそれぞれには，ユーザがタッチされたことが分るようにタッチ・センサ24が形成されている。タッチ・センサ24による検出信号および操作スイッチ類23からの操作信号は，ＣＰＵ20に入力する。また，電源レバー７による電源のオン，オフを示す信号もＣＰＵ20に入力する。また，撮影モードと再生モードの切り替えスイッチ21からの切替信号もＣＰＵ20に入力する。
【００２９】
ディジタル・カメラ１には，固体電子撮像素子34が含まれている。この固体電子撮像素子34の前方には，ズーム・レンズ31，絞り32およびフォーカス・レンズ33が設けられている。ズーム・レンズ31はモータ・ドライバ37によってズーム量が制御され，絞り32はモータ・ドライバ38によって絞り値が制御され，フォーカス・レンズ33はモータ・ドライバ39によってフォーカス位置が制御される。
【００３０】
固体電子撮像素子34の受光面上に被写体像が結像すると，タイミング・ジェネレータ40によって固体電子撮像素子34が制御され，被写体像を表わす映像信号が固体電子撮像素子34から出力する。固体電子撮像素子34から出力された映像信号は，ＣＤＳ（相関二重サンプリング）増幅回路35において相関二重サンプリングが行われる。ＣＤＳ増幅回路35から出力された映像信号は，アナログ／ディジタル変換回路36においてディジタル画像データに変換される。
【００３１】
ディジタル画像データは，画像入力コントローラ41を介してＡＦ（自動焦点調節）検出回路46に入力する。入力したディジタル画像データにもとづいて，合焦制御信号が生成され，生成された合焦制御信号がＣＰＵ20に入力する。この合焦制御信号にもとづいて，モータ・ドライバ39が制御され，フォーカス・レンズ33が位置決めされる。また，画像入力コントローラ41から出力したディジタル画像データは，ＡＥ（自動露光）／ＡＷＢ（自動白バランス）検出回路47にも入力する。ＡＥ／ＡＷＢ検出回路47において露光制御信号および白バランス調整信号が生成される。生成された露光制御信号は，ＣＰＵ20に入力する。この露光制御信号にもとづいて，モータ・ドライバ38が制御され，絞り32の絞り値が制御される。また，ＡＥ／ＡＷＢ検出回路47において生成された白バランス調整信号は，画像信号処理回路42に入力する。画像入力コントローラ41から出力された画像データも，画像信号処理回路42にも入力する。画像信号処理回路42において，白バランス調整信号にもとづいて，画像データの白バランス調整が行われる。
【００３２】
画像信号処理回路42から出力された画像データは，ビデオ・エンコーダ44を介して液晶表示装置11に与えられる。液晶表示装置11の表示画面に撮像された被写体像が表示される。
【００３３】
上述したように，ディジタル・カメラには，光学ビュー・ファインダ60が含まれている。
【００３４】
光学ビュー・ファインダ60には，接眼窓11の前方に接眼レンズ66が設けられており，この接眼レンズ66の前方にはハーフミラー64が形成されているプリズム63が設けられている。ハーフミラー64は，光学ビュー・ファインダ60の光軸Ｌに対して45度の入射角となるように形成されている。このプリズム63の前方にＯＶＦ（光学ビュー・ファインダ）シャッタ（機械シャッタでもよいし，液晶シャッタでもよい）62および対物レンズ61が設けられている。また，光学ビュー・ファインダ60には，電子ビュー・ファインダ65も設けられている。電子ビュー・ファインダ65は，液晶表示装置である。この電子ビュー・ファインダ65には，ビデオ・エンコーダ44から出力される様々な情報等を表すデータが入力する。電子ビュー・ファインダ65には，様々な情報等が表示されることとなる。また，この実施例では，詳しくは後述するように電子ビュー・ファインダ65には，ユーザがタッチしたダイアル６等の画像も表示される。さらに，ＯＶＦシャッタ62が閉じられているときには，電子ビュー・ファインダ65に撮像により得られた画像データが入力することにより，電子ビュー・ファインダ65の表示画面に撮像により得られた被写体像が表示される。
【００３５】
ＯＶＦシャッタ62が開いていると，対物レンズ61および接眼レンズ66によって結像した被写体ＯＢの被写体像を接眼窓11から見ることができる。また，ＯＶＦシャッタ62が開いているときに電子ビュー・ファインダ65の表示画面に様々な情報，ユーザがタッチしたダイアル６等の画像などが表示されると，その情報を表わす光線束がハーフミラー64によって反射し，ユーザが見ることができる。対物レンズ61等によって結像した光学的な被写体像上に電子ビュー・ファインダ65の表示画面に表示される情報等を重ねて見ることができる。
【００３６】
接眼窓11の近傍には，アイ・センサ67が取り付けられている。ユーザの目が接眼窓11に近づいたことがアイ・センサ67によって検出される。すると，ＯＶＦシャッタ62が開かれ，被写体ＯＢの光学像を接眼窓11から見ることができる。アイ・センサ67によってユーザの目が接眼窓11に近づいたことが検出されていないとＯＶＦシャッタ62は閉じられる。被写体像が液晶表示装置11に表示され，液晶表示装置11に表示されている被写体像を見ながら，カメラ・アングルを決定することとなる。アイ・センサ67によってユーザの目が接眼窓11に近づいたことが検出されている場合であってもＯＶＦシャッタ62をオフにし，電子ビュー・ファインダ65に被写体像を表わす画像データを入力し，接眼窓11から電子ビュー・ファインダ65に表示される被写体像を見ることもできる。
【００３７】
さらに，ディジタル・カメラ１には，顔検出回路48，動体検出回路49なども含まれている。
【００３８】
シャッタ・レリーズ・ボタン８が押されると，上述のようにして画像信号処理回路42から出力された画像データはメモリ50に一時的に記憶される。画像データはメモリ50から読み出され，圧縮処理回路47に入力する。圧縮処理回路47において所定の圧縮処理が行われる。圧縮された画像データはメモリ50に与えられ，一時的に記憶される。圧縮された画像データはメモリ50から読み出され，メモリ・カード・コントローラ51によってメモリ・カード52に記録される。
【００３９】
再生モードが設定されると，メモリ・カード52に記録されている画像データが読み出され，読み出された画像データによって表わされる画像が液晶表示装置11の表示画面に表示される。
【００４０】
さらに，メモリ50には，後述するようにダイアル６等の画像を表わす画像データ，様々な情報を表わすデータも格納されている。これらのデータが読み出され，ビデオ・エンコーダ44を介して電子ビュー・ファインダ65に与えられることにより，ダイアル６等の画像，様々な情報が電子ビュー・ファインダ65の表示画面に表示される。
【００４１】
図５は，ディジタル・カメラ１の処理手順を示すフローチャートである。撮像モードに設定されているものとする。
【００４２】
ディジタル・カメラ１の電源レバー７により電源がオンされると，上述したようにアイ・センサ67によってユーザが光学ビュー・ファインダ60の接眼窓11を覗いているかどうかが確認される（ステップ70）。アイ・センサ67によってユーザの目を検知できなければ（ステップ70でＮＯ），ユーザは光学ビュー・ファインダ60の接眼窓11を覗いているとは判断されない。このために液晶表示装置11に撮像によって得られた被写体像が表示される（ステップ71）。
【００４３】
アイ・センサ67によってユーザの目が検知され，ユーザが光学ビュー・ファインダ60の接眼窓11を覗いていると判断されると（ステップ70でＹＥＳ），センサ検知表示切替／ＯＶＦモードに設定される（ステップ72）。ＯＶＦシャッタ62が開き，接眼窓11を覗いているユーザは，光学的な被写体像を見ることができる。
【００４４】
つづいて，タッチ・センサ24によってダイアル６等の操作部材がタッチされているかどうかが確認される（ステップ73）。タッチされている場合には（ステップ73でＹＥＳ），単独の操作部材がタッチされているか，複数の操作部材がタッチされているかが確認される（ステップ74）。
【００４５】
単独の操作部材がタッチされている場合には，どの操作部材がタッチされているかが確認される（ステップ75）。シャッタ・スピード・ダイアル６がタッチされていれば，電子ビュー・ファインダ65にシャッタ・スピード・ダイアル６の画像が表示される（ステップ76）。
【００４６】
図６の上図は，光学的な被写体像85の一例である。
【００４７】
上述したように，ユーザの目が接眼窓11に近づいており，ＯＶＦシャッタ62が開いていると，ユーザは，対物レンズ61および接眼レンズ66によって結像された光学的な被写体像85を見る。
【００４８】
図６の下図は，電子ビュー・ファインダ65に表示される画像88の一例である。
【００４９】
ユーザの目が接眼窓11の近傍にあるとアイ・センサ67によって検知されると，電子ビュー・ファインダ65の表示画面に，図６の下図に示す画像88が表示される。
【００５０】
画像88には，撮影範囲を示す視野枠90が形成されている。この視野枠90の右上には，撮影可能枚数を示す数字92および画像サイズを示す符号93が表示されている。また，視野枠90の中央にはＡＦターゲット・マーク94が表示されている。視野枠90の左下には露出補正のバー95も表示されている。さらに，視野枠90の下には被写界深度表示のバー96，露出モードの符号97，シャッタ速度98，絞り値99およびＩＳＯ感度100も表示されている。
【００５１】
図７は，図６の上図に示す光学像85上に図６の下図に示す電子ビュー・ファインダ65に表示される画像が重ねられた画像を示している。
【００５２】
電子ビュー・ファインダ65に表示された視野枠90等の情報を表わす光線束は，ハーフミラー64によって接眼窓11を除いているユーザの目に届くから，図７に示すように被写体像を表わす光学像85上に電子ビュー・ファインダ65に表示されている視野枠90等の情報が重ねられた画像をユーザは見ることとなる。
【００５３】
図８は，上述したように，ユーザがダイアル６をタッチしたときに電子ビュー・ファインダ65に表示される画像88の一例である。
【００５４】
上述したように，シャッタ・スピード・ダイアル６がタッチされたことがタッチ・センサ24によって検知されると，電子ビュー・ファインダ65の表示画面には，視野枠90などの情報のほかに，視野枠90内の右上の位置にシャッタ・スピード・ダイアル６の外観を示す画像91が現れる。すると，ユーザは，図９に示すように，被写体の光学像85にシャッタ・スピード・ダイアル６の画像が重畳されている画像を見ることとなる。ユーザは，接眼窓11から目を離さなくとも，操作している部材がシャッタ・スピード・ダイアル６であることがわかる。
【００５５】
シャッタ・スピード・ダイアル６がタッチされなくなると，その画像91は消える。
【００５６】
図５に戻って，シャッタ・スピード・ダイアル６以外の露出ダイアル９またはコマンド・レバー10が操作された場合にも上述のように，露出ダイアル９またはコマンド・レバー10を表わす画像が視野枠90内に表示され（ステップ77，78），光学の被写体像85上に重ねてみることができる。
【００５７】
さらに複数のダイアル等がタッチされた場合には（ステップ74），どの操作部材がタッチされているかが確認される（ステップ79）。
【００５８】
シャッタ・スピード・ダイアル６および露出ダイアル９がタッチされている場合には，それらのダイアル６および９の画像が視野枠90内に表示される（ステップ80）。また，シャッタ・スピード・ダイアル６およびコマンド・レバー７がタッチされている場合には，それらのダイアル６およびレバー７の画像が視野枠90内に表示される（ステップ81）。さらに，露出ダイアル９およびコマンド・レバー７がタッチされている場合には，これらのダイアル９およびレバー７の画像が視野枠90内に表示される（ステップ82）。シャッタ・スピード・ダイアル６，コマンド・レバー７および露出ダイアル９のすべてがタッチされている場合には，それらの画像が視野枠90内に表示されるのはいうまでもない。
【００５９】
シャッタ・スピード・ダイアル６，コマンド・レバー７および露出ダイアル９以外のダイアル等についても同様にダイアル等を表わす画像を視野枠90内に表示するようにしてもよい。
【００６０】
図10から図20は他の実施例を示すものである。光学的な被写体像85上に電子ビュー・ファインダ65に表示される画像88が重ねられている様子を示すもので，図９に対応している。これらの図において，図９に示すものと同一物については同一符号を付して説明を省略する。
【００６１】
図10を参照して，視野枠90内の右上にシャッタ・スピード・ダイアル６の画像101，コマンド・レバー10の画像102および露出ダイアル９の画像103が表示されている。これは，ユーザがシャッタ・スピード・ダイアル６，コマンド・レバー10および露出ダイアル９のすべてをタッチしたからである。
【００６２】
また，シャッタ・スピード・ダイアル６の画像101，コマンド・レバー10の画像102および露出ダイアル９の画像103の配置位置は，実際のシャッタ・スピード・ダイアル６，コマンド・レバー10および露出ダイアル９の配置位置と同じとされている。電子ビュー・ファインダ65に表示されるダイアル等の画像の配置位置が，実際のダイアル等の配置位置と同じなので，ユーザはどの操作部材を操作しているかがより分りやすくなる。
【００６３】
上述した実施例において，ユーザがタッチしていない操作部材については，その操作部材の画像は表示されないが，タッチしたことを検出できる操作部材のうち，タッチしていない操作部材の画像を鎖線で表示（または点灯）し，タッチされた操作部材の画像を実線で表示（または点滅）するように，タッチしていない操作部材の画像とタッチしている操作部材の画像とを異なる表示としてもよい。たとえば，図10に示す画像において，シャッタ・スピード・ダイアル６はタッチされているが，コマンド・レバー10および露出ダイアル９はタッチされていない場合には，画像101は実線で表示され，画像102および103は鎖線で表示されるようになる。ユーザは，これらの画像101，102および103を見ることにより，どのような操作部材があるのか，操作しようとしている操作部材が何かが分る。
【００６４】
図11を参照して，視野枠90内の右上に，シャッタ・スピード・ダイアル６の画像111およびシャッタ・スピード・ダイアル６が操作されている方向を示す矢印の画像112が表示されている。このように，ダイアル６等の操作されている方向を示す画像が表示されるようにしてもよい。
【００６５】
図12を参照して，視野枠90の右上に，シャッタ・スピード・ダイアル６の画像111，シャッタ・スピード・ダイアル６が操作されている方向を示す２つの矢印の画像112および113のほかにシャッタ・スピード・ダイアル６が現在設定されているシャッタ・スピードの数値114も表示されている。現在設定されているシャッタ・スピードも視野枠90内に表示されるので，視線を動かすことなく，現在のシャッタ・スピードが分る。好ましくは，シャッタ・スピード・ダイアル６の操作方向をどちらにすればシャッタ・スピードを遅くまたは早くできるかの情報も画像111の近傍に表示する。
【００６６】
図13を参照して，視野枠90の右上にシャッタ・スピード・ダイアル６の外観を示す画像121が表示されている。この画像121は，ダイアル６の外観と同じ外観を示す斜視的な画像であり，ダイアル６を示していることが一見してわかる。ユーザは，画像121を見ることにより，シャッタ・スピード・ダイアル６を操作していることがすぐに理解できる。たとえば，画像121はダイアル６を撮影した画像を利用できる。
【００６７】
図14を参照して，視野枠90の右上にシャッタ・スピード・ダイアル６の画像131が表示されている。この画像131には，シャッタ・スピード・ダイアルの文字列が表示されている。その文字列を見ることにより，ユーザは，シャッタ・スピード・ダイアル６を操作していることを確認できる。もっとも，シャッタ・スピード・ダイアル６の文字列でなく，今タッチしている画像を操作するとシャッタ・スピードを変えることができる等，操作部材の機能を表示するようにしてもよい。
【００６８】
図15を参照して，視野枠90の右上にコマンド・レバー10を表わす画像141が表示されている。コマンド・レバー10を表わす画像141の左側には左向きの矢印の画像142が表示され，その画像141の右側には右向きの矢印の画像143が表示されている。コマンド・レバー10は左右に操作することができるので，これらの矢印の画像142および143を見ることにより，コマンド・レバー10を左右に操作できることが分る。このように操作部材の操作方法に応じた画像が表示されるようにしてもよい。
【００６９】
図16を参照して，視野枠90の右上にシャッタ・スピード・ダイアル６を表わす画像151が表示されている。また，この画像151の左右に矢印の画像152および153が表示されている。矢印の画像152および153が表示されることにより，シャッタ・スピード・ダイアル６が矢印の方向に操作できることをユーザがわかる。
【００７０】
図17を参照して，視野枠90の右上にシャッタ・スピード・ダイアル６を表わす画像161が表示されている。また，この画像161の左側にはダイアル６を左向きに操作することを示す矢印およびそのように左向きに操作した場合にダイアル６によって設定されるシャッタ・スピードの数値162が表示されている。さらに，ダイアル６を表わす画像161の下にはダイアル６によって設定されているシャッタ・スピードの数値163が表示されている。さらに，画像161の右側にはダイアル６を右向きに操作することを示す矢印およびそのように右向きに操作した場合にダイアル６によって設定されるシャッタ・スピードの数値164が表示されている。ユーザは，ダイアル６の操作後のシャッタ・スピード（ディジタル・カメラ１の機能）が分るようになる。
【００７１】
図18を参照して，視野枠90の右上にコマンド・レバー10を立体的に示す画像171が表示されている。この画像171の左側には左矢印172が，右側には右矢印173が表示されている。立体的に表示されることにより，画像171を見るだけで，どの操作部材を操作しているかわかる。
【００７２】
図19を参照して，上述したのと同様に，シャッタ・スピード・ダイアル６がタッチされると，そのダイアル６を表わす画像181が破線の矢印182で示すように右側（横方向）から視野枠90の中に現れるように右上に表示される。また，ダイアル６がタッチされなくなると，画像181は右側に動くようにして消去される。
【００７３】
図20を参照して，露出ダイアル９がタッチされ，露出が補正されると，その補正量に応じた露出を示す数字191が，破線の矢印192で示すように右側から視野枠90の中に現れるように右上に表示される。このように，操作部材が設定している内容が視野枠90内に表示されるようにしてもよい。
【００７４】
露出ダイアル９はディジタル・カメラ１の背面から見て右側に設けられているから，露出ダイアル９を表わす画像は右側から現れているが，ディジタル・カメラ１の背面から見て左側に設けられているダイアル等の画像を表示する場合には，左側から現れるようにしてもよい。
【００７５】
上述の実施例では，シャッタ・スピード・ダイアル６，露出ダイアル９またはコマンド・レバー10の操作部材がタッチされたことにより，タッチされた操作部材を表わす画像等が表示されているが，それらの操作部材以外の操作部材についても同様に表示されるようにしてもよい。
【００７６】
また，上述の実施例において，被写体の光学像上に重なって見えるように電子ビュー・ファインダ65に操作部材の画像が表示されるが，ＯＶＦシャッタ62は開いているので，操作部材の画像が透けるようにでき，その画像を通して光学像を見ることもできる。そのために，操作部材の画像がカメラ・アングルを決定するのに邪魔になることもない。もっとも操作部材の画像に相当する光学像の部分をマスクするようにして操作部材の画像が透けないようにしてもよい。ＯＶＦシャッタ62を液晶シャッタで構成することにより，操作部材の画像に相当する光学像の部分をマスクできるのはいうまでもない。
【符号の説明】
【００７７】
１  ディジタル・カメラ
３  対物窓
６  シャッタ・スピード・ダイアル
９  露出ダイアル
10  コマンド・レバー
11  接眼窓
20  ＣＰＵ
60  光学ビュー・ファインダ
65  電子ビュー・ファインダ
91，101〜103，111，121，131，141，151，161，171，181，191  操作部材の画像
【図１】
2014002659.tif 000003
【図２】
2014002659.tif 000004
【図３】
2014002659.tif 000005
【図４】
2014002659.tif 000006
【図５】
2014002659.tif 000007
【図６】
2014002659.tif 000008
【図７】
2014002659.tif 000009
【図８】
2014002659.tif 000010
【図９】
2014002659.tif 000011
【図１０】
2014002659.tif 000012
【図１１】
2014002659.tif 000013
【図１２】
2014002659.tif 000014
【図１３】
2014002659.tif 000015
【図１４】
2014002659.tif 000016
【図１５】
2014002659.tif 000017
【図１６】
2014002659.tif 000018
【図１７】
2014002659.tif 000019
【図１８】
2014002659.tif 000020
【図１９】
2014002659.tif 000021
【図２０】
2014002659.tif 000022
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
カメラの前面に形成され，被写体に向く対物窓，上記対物窓を通して見える被写体を覗く接眼窓およびユーザの目が接眼窓を覗いていることを検出するアイ・センサを備えた光学ビュー・ファインダ，
上記カメラの外部に設けられた操作部材，
上記アイ・センサによりユーザの目が接眼窓を覗いていることが検出されると，上記操作部材がタッチされたことを検出するタッチ・センサ，
上記タッチ・センサによりタッチされたことが検出された上記操作部材を表わす操作部材画像を表示画面に表示する表示装置，ならびに
上記表示装置の上記表示画面に表示された操作部材画像を上記接眼窓の撮影範囲内の位置に導く偏向装置，
を備えたカメラ。
【請求項２】
上記表示装置は，
上記タッチ・センサにより，上記操作部材へのタッチが検出されたことに応じて，タッチされた上記操作部材を表わす操作部材画像およびタッチされた上記操作部材の操作方向を示す画像を上記表示画面に表示するものであり，
上記偏向装置は，
上記表示装置の上記表示画面に表示された操作部材画像および上記操作方向を示す画像を上記接眼窓の撮影範囲内の位置に導くものである，
請求項１に記載のカメラ。
【請求項３】
上記表示装置は，
上記タッチ・センサにより上記操作部材へのタッチが検出されたことに応じて，タッチされた上記操作部材の外観と同じ外観を表わす操作部材画像を表示画面に表示するものである，
請求項１または２に記載のカメラ。
【請求項４】
上記表示装置は，
上記タッチ・センサにより上記操作部材へのタッチが検出されたことに応じて，タッチされた上記操作部材の名称または機能を示す名称を表示するものであり，
上記偏向装置は，
上記表示装置の上記表示画面に表示された名称を，上記接眼窓の撮影範囲内の位置に導くものである，
請求項１から３のうち，いずれか一項に記載のカメラ。
【請求項５】
上記表示装置は，
上記タッチ・センサにより上記操作部材へのタッチが検出されたことに応じて，タッチされた上記操作部材を表わす操作部材画像およびタッチされた上記操作部材の操作後のディジタル・カメラの状態を示す画像を上記表示画面に表示するものであり，
上記偏向装置は，
上記表示装置の上記表示画面に表示された操作部材画像および上記操作後のディジタル・カメラの状態を示す画像を上記接眼窓の撮影範囲内の位置に導くものである，
請求項１から４のうち，いずれか一項に記載のカメラ。
【請求項６】
上記表示装置は，
上記操作部材画像が上記偏向装置において上記接眼窓の撮影範囲内の位置に導かれたときに，上記操作部材画像が表わす操作部材が設けられている位置に対応する位置となるように上記表示画面に表示するものである，
請求項１から５のうち，いずれか一項に記載のカメラ。
【請求項７】
上記表示装置は，
上記操作部材がタッチされたことに応じて，タッチされた上記操作部材を表わす操作部材画像が横方向から現れるように，上記表示画面に表示するものである，
請求項１から６のうち，いずれか一項に記載のカメラ。
【請求項８】
上記表示装置は，
上記操作部材が背面から見て右側にある場合には，上記操作部材がタッチされたことに応じて，タッチされた上記操作部材を表わす操作部材画像が右側から現れるように，上記表示画面に表示し，上記操作部材が背面から見て左側にある場合には，上記操作部材がタッチされたことに応じて，タッチされた上記操作部材を表わす操作部材画像が左側から現れるように，上記表示画面に表示するものである，
請求項７に記載のカメラ。
【請求項９】
カメラの前面に形成され，被写体に向く対物窓，上記対物窓を通して見える被写体を覗く接眼窓およびユーザの目が接眼窓を覗いていることを検出するアイ・センサを備えた光学ビュー・ファインダを備えたカメラの動作制御方法において，
操作部材が，上記カメラの外部に設けられており，
タッチ・センサが，上記アイ・センサによりユーザの目が接眼窓を覗いていることが検出されると，上記操作部材がタッチされたことを検出し，
表示装置が，上記タッチ・センサによりタッチされたことが検出された上記操作部材を表わす操作部材画像を表示画面に表示し，
偏向装置が，上記表示装置の上記表示画面に表示された操作部材画像を上記接眼窓の撮影範囲内の位置に導く，
カメラの動作制御方法。
【請求項１０】
上記表示装置は，上記タッチ・センサにより複数の操作部材へのタッチが検出されたことに応じて，タッチされた複数の操作部材の実際の配置位置と同じとなるように複数の操作部材を表わす操作部材画像を表示するものである，
請求項１に記載のカメラ。
【請求項１１】
上記表示装置は，
タッチされていない操作部材の画像とタッチされている操作部材の画像とを異なるように表示するものである，
請求項１に記載のカメラ。
【請求項１２】
上記表示装置は，
上記タッチ・センサにより上記表示部材へのタッチが検出されたことに応じて，上記操作部材が設定している内容を表示画面に表示するものである，
請求項１に記載のカメラ。
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
カメラの前面に形成され，被写体に向く対物窓，上記対物窓を通して見える被写体を覗く接眼窓およびユーザの目が接眼窓を覗いていることを検出するアイ・センサを備えた光学ビュー・ファインダ，
上記カメラの外部に設けられた操作部材，
上記アイ・センサによりユーザの目が接眼窓を覗いていることが検出されている状態で，上記操作部材がタッチされていることを検出するタッチ・センサ，
上記タッチ・センサによりタッチされていることが検出された上記操作部材を表わす操作部材画像を表示画面に表示し，上記タッチ・センサにより上記操作部材がタッチされなくなったことが検出されると，上記操作部材画像を消去する表示装置，ならびに
上記表示装置の上記表示画面に表示された操作部材画像を上記接眼窓の撮影範囲内の位置に導く偏向装置，
を備えたカメラ。
【請求項２】
上記表示装置は，
上記タッチ・センサにより，上記操作部材がタッチされていることが，検出されたことに応じて，タッチされている上記操作部材を表わす操作部材画像およびタッチされている上記操作部材の操作方向を示す画像を上記表示画面に表示するものであり，
上記偏向装置は，
上記表示装置の上記表示画面に表示された操作部材画像および上記操作方向を示す画像を上記接眼窓の撮影範囲内の位置に導くものである，
請求項１に記載のカメラ。
【請求項３】
上記表示装置は，
上記タッチ・センサにより上記操作部材がタッチされていることが，検出されたことに応じて，タッチされている上記操作部材の外観と同じ外観を表わす操作部材画像を表示画面に表示するものである，
請求項１または２に記載のカメラ。
【請求項４】
上記表示装置は，
上記タッチ・センサにより上記操作部材がタッチされていることが，検出されたことに応じて，タッチされた上記操作部材の名称または機能を示す名称を表示するものであり，
上記偏向装置は，
上記表示装置の上記表示画面に表示された名称を，上記接眼窓の撮影範囲内の位置に導くものである，
請求項１から３のうち，いずれか一項に記載のカメラ。
【請求項５】
上記表示装置は，
上記タッチ・センサにより上記操作部材がタッチされていることが，検出されたことに応じて，タッチされている上記操作部材を表わす操作部材画像およびタッチされている上記操作部材の操作後のディジタル・カメラの状態を示す画像を上記表示画面に表示するものであり，
上記偏向装置は，
上記表示装置の上記表示画面に表示された操作部材画像および上記操作後のディジタル・カメラの状態を示す画像を上記接眼窓の撮影範囲内の位置に導くものである，
請求項１から４のうち，いずれか一項に記載のカメラ。
【請求項６】
上記表示装置は，
上記操作部材画像が上記偏向装置において上記接眼窓の撮影範囲内の位置に導かれたときに，上記操作部材画像が表わす操作部材が設けられている位置に対応する位置となるように上記表示画面に表示するものである，
請求項１から５のうち，いずれか一項に記載のカメラ。
【請求項７】
上記表示装置は，
上記操作部材がタッチされていることに応じて，タッチされている上記操作部材を表わす操作部材画像が横方向から現れるように，上記表示画面に表示するものである，
請求項１から６のうち，いずれか一項に記載のカメラ。
【請求項８】
上記表示装置は，
上記操作部材が背面から見て右側にある場合には，上記操作部材がタッチされていることに応じて，タッチされている上記操作部材を表わす操作部材画像が右側から現れるように，上記表示画面に表示し，上記操作部材が背面から見て左側にある場合には，上記操作部材がタッチされていることに応じて，タッチされている上記操作部材を表わす操作部材画像が左側から現れるように，上記表示画面に表示するものである，
請求項７に記載のカメラ。
【請求項９】
カメラの前面に形成され，被写体に向く対物窓，上記対物窓を通して見える被写体を覗く接眼窓およびユーザの目が接眼窓を覗いていることを検出するアイ・センサを備えた光学ビュー・ファインダを備えたカメラの動作制御方法において，
操作部材が，上記カメラの外部に設けられており，
タッチ・センサが，上記アイ・センサによりユーザの目が接眼窓を覗いていることが検出されている状態で，上記操作部材がタッチされていることを検出し，
表示装置が，上記タッチ・センサによりタッチされていることが検出された上記操作部材を表わす操作部材画像を表示画面に表示し，上記タッチ・センサにより上記操作部材がタッチされなくなったことが検出されると，上記操作部材画像を消去し，
偏向装置が，上記表示装置の上記表示画面に表示された操作部材画像を上記接眼窓の撮影範囲内の位置に導く，
カメラの動作制御方法。
【請求項１０】
上記表示装置は，上記タッチ・センサにより複数の操作部材がタッチされていることが，検出されたことに応じて，タッチされている複数の操作部材の実際の配置位置と同じとなるように複数の操作部材を表わす操作部材画像を表示するものである，
請求項１に記載のカメラ。
【請求項１１】
上記表示装置は，
タッチされていない操作部材の画像とタッチされている操作部材の画像とを異なるように表示するものである，
請求項１に記載のカメラ。
【請求項１２】
上記表示装置は，
上記タッチ・センサにより上記操作部材がタッチされていることが，検出されたことに応じて，上記操作部材が設定している内容を表示画面に表示するものである，
請求項１に記載のカメラ。
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
カメラの前面に形成され，被写体に向く対物窓，上記対物窓を通して見える被写体を覗く接眼窓およびユーザの目が接眼窓を覗いていることを検出するアイ・センサを備えた光学ビュー・ファインダ，
上記カメラの外部に設けられた操作部材，
上記アイ・センサによりユーザの目が接眼窓を覗いていることが検出されている状態で，上記操作部材がタッチされていることを検出するタッチ・センサ，
上記タッチ・センサによりタッチされていることが検出された上記操作部材の状態を表わす操作部材画像を表示画面に表示し，上記タッチ・センサにより上記操作部材がタッチされなくなったことが検出されると，上記操作部材画像を消去する表示装置，ならびに
上記表示装置の上記表示画面に表示された操作部材画像を上記接眼窓の撮影範囲内の位置に導く偏向装置，
を備え，
上記操作部材はダイアルである，
カメラ。
【請求項２】
上記表示装置は，
上記タッチ・センサにより，上記操作部材がタッチされていることが，検出されたことに応じて，タッチされている上記操作部材の状態を表わす操作部材画像およびタッチされている上記操作部材の操作方向を示す画像を上記表示画面に表示するものであり，
上記偏向装置は，
上記表示装置の上記表示画面に表示された操作部材画像および上記操作方向を示す画像を上記接眼窓の撮影範囲内の位置に導くものである，
請求項１に記載のカメラ。
【請求項３】
上記表示装置は，
上記タッチ・センサにより上記操作部材がタッチされていることが，検出されたことに応じて，タッチされている上記操作部材の外観と同じ外観を表わす上記操作部材画像を表示画面に表示するものである，
請求項１または２に記載のカメラ。
【請求項４】
上記表示装置は，
上記タッチ・センサにより上記操作部材がタッチされていることが，検出されたことに応じて，タッチされた上記操作部材の名称または機能を示す名称および上記操作部材画像を表示するものであり，
上記偏向装置は，
上記表示装置の上記表示画面に表示された名称および上記操作部材画像を，上記接眼窓の撮影範囲内の位置に導くものである，
請求項１から３のうち，いずれか一項に記載のカメラ。
【請求項５】
上記表示装置は，
上記タッチ・センサにより上記操作部材がタッチされていることが，検出されたことに応じて，タッチされている上記操作部材の状態を表わす操作部材画像およびタッチされている上記操作部材の操作後のディジタル・カメラの状態を示す画像を上記表示画面に表示するものであり，
上記偏向装置は，
上記表示装置の上記表示画面に表示された操作部材画像および上記操作後のディジタル・カメラの状態を示す画像を上記接眼窓の撮影範囲内の位置に導くものである，
請求項１から４のうち，いずれか一項に記載のカメラ。
【請求項６】
上記表示装置は，
上記操作部材画像が上記偏向装置において上記接眼窓の撮影範囲内の位置に導かれたときに，上記操作部材画像が表わす操作部材が設けられている位置に対応する位置となるように上記表示画面に表示するものである，
請求項１から５のうち，いずれか一項に記載のカメラ。
【請求項７】
上記表示装置は，
上記操作部材がタッチされていることに応じて，タッチされている上記操作部材の状態を表わす操作部材画像が横方向から現れるように，上記表示画面に表示するものである，
請求項１から６のうち，いずれか一項に記載のカメラ。
【請求項８】
上記表示装置は，
上記操作部材が背面から見て右側にある場合には，上記操作部材がタッチされていることに応じて，タッチされている上記操作部材の状態を表わす操作部材画像が右側から現れるように，上記表示画面に表示し，上記操作部材が背面から見て左側にある場合には，上記操作部材がタッチされていることに応じて，タッチされている上記操作部材の状態を表わす操作部材画像が左側から現れるように，上記表示画面に表示するものである，
請求項７に記載のカメラ。
【請求項９】
カメラの前面に形成され，被写体に向く対物窓，上記対物窓を通して見える被写体を覗く接眼窓およびユーザの目が接眼窓を覗いていることを検出するアイ・センサを備えた光学ビュー・ファインダを備えたカメラの動作制御方法において，
操作部材が，上記カメラの外部に設けられており，
タッチ・センサが，上記アイ・センサによりユーザの目が接眼窓を覗いていることが検出されている状態で，上記操作部材がタッチされていることを検出し，
表示装置が，上記タッチ・センサによりタッチされていることが検出された上記操作部材の状態を表わす操作部材画像を表示画面に表示し，上記タッチ・センサにより上記操作部材がタッチされなくなったことが検出されると，上記操作部材画像を消去し，
偏向装置が，上記表示装置の上記表示画面に表示された操作部材画像を上記接眼窓の撮影範囲内の位置に導き，
上記操作部材は，ダイアルである，
カメラの動作制御方法。
【請求項１０】
上記表示装置は，上記タッチ・センサにより複数の操作部材がタッチされていることが，検出されたことに応じて，タッチされている複数の操作部材の実際の配置位置と同じとなるように複数の操作部材の状態を表わす操作部材画像を表示するものである，
請求項１に記載のカメラ。
【請求項１１】
上記表示装置は，
タッチされていない操作部材の画像とタッチされている操作部材の画像とを異なるように表示するものである，
請求項１に記載のカメラ。
【請求項１２】
上記表示装置は，
上記タッチ・センサにより上記操作部材がタッチされていることが，検出されたことに応じて，上記操作部材が設定している内容を表示画面に表示するものである，
請求項１に記載のカメラ。
【国際調査報告】
2014002659.tif 000023
2014002659.tif 000024
2014002659.tif 000025
2014002659.tif 000026